(57)【要約】    【課題】  画像品質に悪影響を与えることなく複数の映像ソースに対して帯域を適切に割り当てることができる統計多重装置及び方法を提供する。    【解決手段】  複数のビデオデータを符号化のために解析して要求符号量を設定し、複数のビデオデータ毎に要求符号量と以前設定した目標符号量とに応じて今回の目標符号量を設定し、複数のビデオデータを各々遅延させ、その複数の遅延ビデオデータの各々を今回の目標符号量に等しくなるように符号化して符号化データを出力し、複数のビデオデータの各々についての符号化データを多重化して多重化データストリームを出力する。【選択図】  図１
2005151095.tif 000002
【特許請求の範囲】
【請求項１】
複数のビデオデータを各々符号化した後、その各符号化データを多重化する統計多重装置であって、
前記複数のビデオデータを符号化のために解析して要求符号量を設定する符号化解析手段と、
前記複数のビデオデータ毎に前記要求符号量と以前設定した目標符号量とに応じて今回の目標符号量を設定する符号量制御手段と、
前記複数のビデオデータを各々遅延させる遅延手段と、
前記遅延手段によって遅延された前記複数のビデオデータの各々を前記今回の目標符号量に等しくなるように符号化して符号化データを出力する符号化手段と、
前記複数のビデオデータの各々について前記符号化手段によって出力された前記符号化データを多重化して多重化データストリームを出力する多重化手段と、を備えたことを特徴とする統計多重装置。
【請求項２】
前記符号化解析手段は、前記目標符号量と共に、平均Ｑ値、シーン変化に関する統計、平均フレーム・アクティビティ、原画との差分情報、動きベクトル情報のうちの少なくとも１つからなる符号化情報を前記符号量制御手段に供給することを特徴とする請求項１記載の統計多重装置。
【請求項３】
前記符号量制御手段は、前記複数のビデオデータの各々についての少なくとも前記目標符号量を示す割当情報を生成し、
前記多重化手段の多重化及び送出を前記割当情報に応じて制御する多重送出制御手段を更に備えることを特徴とする請求項１記載の統計多重装置。
【請求項４】
前記多重化手段は、前記ビデオデータストリームを保持する出力バッファを含み、
前記符号量制御手段は、前記出力バッファの充填度及び遅延量に応じて前記出力バッファの破綻を回避するように前記今回の目標符号量を設定することを特徴とする請求項１記載の統計多重装置。
【請求項５】
前記符号量制御手段は、前記複数のビデオデータの各々について設定した前記今回の目標符号量が前記要求符号量に応じた画像品位に達しない量であるとき前記今回の目標符号量の増加が可能であるか否かを判別し、その判別結果が増加可能である場合には前記今回の目標符号量を増加補正することを特徴とすることを特徴とする請求項１記載の統計多重装置。
【請求項６】
前記符号化手段は、前記符号化データの実符号量を示すデータを前記符号量制御手段に供給し、
前記符号量制御手段は、前記今回の目標符号量の設定に前記実符号量を加味することを特徴とする請求項１記載の統計多重装置。
【請求項７】
前記符号量制御手段は、前記複数のビデオデータ分の前記要求符号量の総ビットレートが所定のレートより高い状態又は低い状態が比較的長期間に亘って継続する場合には、前記符号化解析手段に対して符号化パラメータの変更を指示し、
前記符号化解析手段は、前記符号化パラメータの変更の指示に応答して前記要求符号量の設定の符号化パラメータを変更することを特徴とする請求項１記載の統計多重装置。
【請求項８】
前記符号化解析手段は、前記複数のビデオデータの各々について前記要求符号量と前記符号化情報とを前記符号化手段に供給し、
前記符号化手段は、前記符号化解析手段からの前記要求符号量と前記符号化情報に応じて符号化パラメータを変更して前記遅延手段によって遅延された前記ビデオデータを符号化することを特徴とする請求項１又は２記載の統計多重装置。
【請求項９】
前記多重送出制御手段には多重化データストリームを送出する帯域幅及び制御情報を示す回線情報が入力され、
前記多重送出制御手段は、前記多重化手段の多重化及び送出を前記割当情報に加えて前記回線情報に応じて制御することを特徴とする請求項３記載の統計多重装置。
【請求項１０】
複数のビデオデータを各々符号化した後、その各符号化データを多重化する統計多重方法であって、
前記複数のビデオデータを符号化のために解析して要求符号量を設定し、
前記複数のビデオデータ毎に前記要求符号量と以前設定した目標符号量とに応じて今回の目標符号量を設定し、
前記複数のビデオデータを各々遅延させ、
遅延後の前記複数のビデオデータの各々を前記今回の目標符号量に等しくなるように符号化して符号化データを出力し、
前記複数のビデオデータの各々についての前記符号化データを多重化して多重化データストリームを出力することを特徴とする統計多重方法。
【発明の詳細な説明】
【技術分野】
【０００１】
本発明は、複数のディジタルビデオデータについての符号化及び多重化を効率よく行う統計多重装置及び方法に関する。
【背景技術】
【０００２】
ケーブルテレビ放送や衛星テレビ放送のようなディジタル放送システムにおいては、複数のチャンネルのディジタルビデオデータを各々符号化した後、それらを多重化して多重化ビデオストリームとして送信することが行われている。このような複数のチャンネルのディジタルビデオデータ、すなわち複数の映像ソースについての符号化及び多重化を全伝送帯域内において効率よく帯域を割り当てるために統計多重装置が採用されている。例えば、静止画に近い映像のチャンネルから動きの速い映像のチャンネルに帯域、換言すれば符号量を融通することによって、全体として映像の品位を保ちつつ帯域を効率良く使うことができるという利点がある。
【０００３】
従来の統計多重装置においては、ビデオストリーム中の今回の画像の１つ前の画像の複雑度を用いて、今回の画像の符号化を行う画像の帯域割り当てを行っている。或いは、符号化を行う画像自体の複雑度を使用して、帯域割り当てを行っている（特許文献１参照）。
【０００４】
また、従来の統計多重装置においては、画像を先読みして画像の特徴を捉えて、帯域割り当てを行っている（特許文献２参照）。
【特許文献１】特開２０００−７８５７７号公報
【特許文献２】特開２００２−３６６３４０号公報
【発明の開示】
【発明が解決しようとする課題】
【０００５】
しかしながら、特許文献１に示されたかかる従来の統計多重装置においては、シーンチェンジのような急激な画像の変化が発生した場合には、最適な帯域割り当てを行うことができない。瞬間的に複雑になる映像ソースに対しては瞬間的に多くの帯域を割り当ててしまい、その結果、他の映像ソースの画像が瞬間的に悪くなり、動画として違和感が発生するという問題点があった。
【０００６】
また、上記特許文献２に示されたシステムにおいては、ピクチャ統計(Activity値など)によって割り当てを行っている。しかしながら、ピクチャ統計を利用する方法はあくまで符号化量を予測する方法でしかない。またピクチャ統計と符号化量の関係を符号化方式によって定義しなければいけないが、画像は無数に存在するため、この定義は非常にあいまいなものになる。すなわち、符号化時の予測を十分に行うことができないという問題点がある。更に、上記特許文献２に示されたシステムにおいては、帯域の超過をフィードバックによって防止しているため、超過を防ぐ処理が遅延してしまい、遅延を考慮した余裕分を含んだ制御とするか、ビット量を急激に削減する制御となり、どちらも画質に悪影響を与えるという別の問題点もあった。
【０００７】
本発明が解決しようとする課題には、上記の問題点が一例として挙げられ、画像品質に悪影響を与えることなく各映像ソースに対して帯域を適切に割り当てることができる統計多重装置及び統計多重方法を提供することが本発明の目的である。
【課題を解決するための手段】
【０００８】
請求項１に係る発明の統計多重装置は、複数のビデオデータを各々符号化した後、その各符号化データを多重化する統計多重装置であって、前記複数のビデオデータを符号化のために解析して要求符号量を設定する符号化解析手段と、前記複数のビデオデータ毎に前記要求符号量と以前設定した目標符号量とに応じて今回の目標符号量を設定する符号量制御手段と、前記複数のビデオデータを各々遅延させる遅延手段と、前記遅延手段によって遅延された前記複数のビデオデータの各々を前記今回の目標符号量に等しくなるように符号化して符号化データを出力する符号化手段と、前記複数のビデオデータの各々について前記符号化手段によって出力された前記符号化データを多重化して多重化データストリームを出力する多重化手段と、を備えたことを特徴としている。
【０００９】
請求項１０に係る発明の統計多重方法は、複数のビデオデータを各々符号化した後、その各符号化データを多重化する統計多重方法であって、前記複数のビデオデータを符号化のために解析して要求符号量を設定し、前記複数のビデオデータ毎に前記要求符号量と以前設定した目標符号量とに応じて今回の目標符号量を設定し、前記複数のビデオデータを各々遅延させ、遅延後の前記複数のビデオデータの各々を前記今回の目標符号量に等しくなるように符号化して符号化データを出力し、前記複数のビデオデータの各々についての前記符号化データを多重化して多重化データストリームを出力することを特徴としている。
【発明を実施するための最良の形態】
【００１０】
以下、本発明の実施例を図面を参照しつつ詳細に説明する。
【００１１】
図１は本発明による統計多重装置を示している。この統計多重装置は、符号化・符号量解析部１１1〜１１n、遅延部１２1〜１２n、符号化器１３1〜１３n、バッファ１４1〜１４n、多重器１５、出力バッファ１６、符号量制御部１７及び多重・送出制御部１８を備えている。ｎは多重化する映像ソースＶ1〜Ｖnのチャンネル数であり、ｎ≧２である。映像ソースＶ1〜Ｖnからの画像データを映像ソース毎に担う通路がチャンネルである。バッファ１４1〜１４n、多重器１５及び出力バッファ１６は多重・送出部１９を構成している。
【００１２】
符号化・符号量解析部１１1〜１１n及び遅延部１２1〜１２nには対応する映像ソースＶ1〜Ｖnのビデオデータが供給される。
【００１３】
符号化・符号量解析部１１1〜１１n各々は、供給される映像ソースＶ1〜Ｖnのビデオデータを符号化又はその符号化相当の解析を行って要求符号量及び符号化情報を符号量制御部１７に出力する。符号化としてはＭＰＥＧ(Moving Picture Experts Group)−２方式が用いられる。ただし、他の符号化方式を用いても良いことは勿論である。要求符号量は符号量制御部１７において目標の映像品位となるものである。要求符号量を出力する方法の一例として、量子化係数であるＱ値を一定として符号化する方法がある。符号化情報には平均Ｑ値、シーン変化に関する統計、平均フレーム・アクティビティ、原画との差分情報、動きベクトル情報の少なくとも１つの情報が含まれる。また、符号化・符号量解析部１１1〜１１n各々ではＭＰＥＧ−２のＧＯＰ(Group of Pictures)構造も反映され、シーンチェンジが検出された場合には、新たなＧＯＰの開始として符号化若しくはそれ相当の解析を行う処理も行う。
【００１４】
遅延部１２1〜１２n各々は、符号化・符号量解析部１１1〜１１n各々が要求符号量、符号化情報を実際の符号化の前に得るために必要な一定の遅延を対応する映像ソースＶ1〜Ｖnのビデオデータに対して施す。
【００１５】
符号量制御部１７は、図２に示すように、符号量割当部２１及び適応制御部２２からなる。符号量割当部２１は符号化・符号量解析部１１1〜１１nからの要求符号量と前回までに割り当てた目標符号量とに応じて符号化対象の目標符号量と送出時間とを算出し、算出した各チャンネルの目標符号量及び送出時間を暫定割当情報として適応制御部２２に供給する。適応制御部２２は多重・送出制御部１８からの出力結果情報に応じて出力バッファ１６の破綻回避をするように目標符号量の再割当処理を行う。具体的には出力バッファ１６の充填度や遅延量により目標符号量の再割り当てを行う。
【００１６】
符号化器１３1〜１３n各々は、符号量制御部１７によって割り当てられた目標符号量となるように遅延部１２1〜１２nから供給される映像ソースＶ1〜ＶnのビデオデータをＭＰＥＧ−２方式で符号化する。ただし、符号化・符号量解析部１１1〜１１nと同様に他の符号化方式を用いても良いことは勿論である。また、符号化器１３1〜１３n各々は、符号化した際の実符号量をデータとして多重・送出制御部１８に供給する。
【００１７】
多重・送出制御部１８は、符号量制御部１７から供給された割当情報及び符号化器１３1〜１３n各々から出力される実符号量に応じて符号化方式によるデコーダバッファ検証を行い、その結果として多重送出情報を作成し、それを多重・送出部１９に出力する。送出情報には、出力開始時間、伝送期間及び実符号量が含まれる。更に、その出力結果を符号量制御部１７に帰還するために出力結果情報を作成して符号量制御部１７に出力する。出力結果情報には出力バッファ１６のデータ充填度及びデータ遅延量のうちの少なくとも1つが含まれる。
【００１８】
多重・送出部１９のバッファ１４1〜１４n各々は、符号化器１３1〜１３nから供給される符号化データを一時的に保持する。多重器１５は、バッファ１４1〜１４nに保持された符号化データを多重送出情報に応じて多重化する。出力バッファ１６は多重器１５によって多重化されたデータを多重送出情報に応じて出力する。出力バッファ１６のデータ充填度やデータ遅延量はバッファ情報として多重・送出制御部１８に供給される。
【００１９】
かかる構成の統計多重装置においては、符号量制御部１７にて目標符号量を決定するために、入力ソース（映像ソースのビデオデータ）の評価期間は符号量決定期間に対して十分に長い期間とされる。この評価期間における過去の要求符号量及び過去の目標符号量、並びに先読み期間の要求符号量に応じて、評価期間に割当可能な符号量以下となるように符号量決定期間の目標符号量及び送出時間が決定される。先読み期間は遅延部１２1〜１２nの遅延量に相当する。先読み期間の要求符号量は符号化・符号量解析部１１1〜１１nから得られる情報である。図３は、上記した評価期間における符号量決定期間及び先読み期間と、全体の帯域幅とを示している。
【００２０】
ここで、入力ソースの評価期間及び符号量決定期間は次の条件(1)〜(3)の基に設定される。
(1)入力ソースの評価期間はＭＰＥＧ−２ Ｖｉｄｅｏにおいては１ＧＯＰのフレーム数、それ以外ではＭＰＥＧ−２ Ｖｉｄｅｏにおいての１ＧＯＰに相当するフレーム数の期間或いはその倍数の期間とする。
(2)符号量決定期間は１フレーム期間、１フィールド期間及びその倍数の期間のいずれか１つとする。なお、倍数の期間とした場合、割当処理時間を長く設定できるので、符号量制御部１７の処理時間がフレームレートに間に合わなかった場合に対応できるという利点がある。
(3)符号量決定期間は評価期間内に位置するものとする。
【００２１】
映像ソース間のフレーム同期を前提とした場合には、符号量決定期間の伝送時間Ｔiは、次のように、先読み期間の要求符号量の比率で決定される。
Ｔi ＝ （Ｔg −Ｔp） * (ΣＳij ／ΣΣＳij ）
ここで、Ｔgは評価期間の許容伝送時間である。この許容伝送時間内に伝送できるように符号量を割り当てる必要がある。また、Ｔgはフレームレートで決定する固定値となる。Ｔpは過去に割当を行った伝送時間であり、Ｓijは各フレームの要求符号量であり、ｉはフレームを表し、ｊは映像ソースを表す。また、ΣＳij は符号量決定期間の要求符号量の総和を示し、ΣΣＳijは先読み期間の要求符号量の総和を示す。
【００２２】
図４は３つの映像ソースとし、評価期間の全フレーム数を７とした場合の要求符号量Ｓijを示している。
【００２３】
更に、符号量決定期間の目標符号量Ｐijは、次のように、符号量決定期間の要求符号量の比率で決定される。
Ｐij ＝ Ｂg * (Ｔi /Ｔg ) * (Ｓij / ΣＳij )
ここで、Ｂgは評価期間の許容符号量である。この許容符号量内に収めるように割当を行う必要がある。Ｂgは帯域によって決定する固定値である。
【００２４】
図５は図４に示した要求符号量Ｓijに対して決定された目標符号量Ｐijと、固定値Ｂgを示している。
【００２５】
適応制御部２２は、上記したように符号量割当部２１において決定された目標符号量を多重・送出制御部１８からの出力結果情報に応じて再割当、すなわち補正を行って最終的な目標符号量を決定する。
【００２６】
適応制御部２２において決定した映像ソース毎の目標符号量は、対応する符号化器１３1〜１３nにデータとして供給される。符号化器１３1〜１３nでは、映像ソースＶ1〜Ｖnのビデオデータを目標符号量になるように符号化して多重・送出部１９に供給する。多重・送出制御部１８では、符号量制御部１７から供給された割当情報及び符号化器１３1〜１３n各々から出力される実符号量に応じて符号化方式によるデコーダバッファ検証を行い多重送出情報を作成し、それを多重・送出部１９に出力し、更に、符号量制御部１７に出力結果情報を出力する。出力結果情報には出力バッファ１６の充填度と遅延量とのうちの少なくとも1つが含まれる。
【００２７】
多重・送出部１９では、符号化器１３1〜１３n各々から供給される符号化データがバッファ１４1〜１４nに一時的に保持された後、多重器１５によって多重化される。多重化されたデータは出力バッファ１６を介して出力される。
【実施例】
【００２８】
上記した実施例の符号量制御部１７は、図２に示したように、符号量割当部２１及び適応制御部２２からなるが、次の如く目標符号量を決定しても良い。
【００２９】
すなわち、符号量制御部１７は、映像ソース毎に図６に示すように、符号化・符号量解析部１１1〜１１nからの要求符号量と前回までに割り当てた目標符号量とに応じて符号化対象の目標符号量と送出時間とを暫定割当情報として算出する（ステップＳ１）。ステップＳ１は上記の符号量割当部２１の動作である。ステップＳ１の実行後、その暫定割当情報に応じて目標の映像品位に達しているか否かを判別する（ステップＳ２）。すなわち、符号化・符号量解析部１１1〜１１nで決定された要求符号量相当に暫定割当情報が示す目標符号量が達しているか否かの判別が行われる。目標の映像品位に達している場合には、出力バッファ１６のデータ充填度及びデータ遅延量に応じて出力バッファ１６が破綻する場合には破綻回避処理を行って目標符号量及び送出時間を決定する（ステップＳ３）。ステップＳ３は上記の適応制御部２２の動作である。
【００３０】
一方、目標の映像品位に達していない場合には、目標の映像品位に達するように目標符号量を増加することが可能であるか否かを判別する（ステップＳ４）。出力バッファ１６のデータ充填度及びデータ遅延量から目標符号量を増加することが可能な場合には、再割当処理を行って目標符号量及び送出時間を決定する（ステップＳ５）。その後、上記のステップＳ３に移行する。
【００３１】
このように、目標の画像品位に達するように映像ソース毎に最終的な目標符号量を決定することができる。
【００３２】
図７は本発明の他の実施例を示している。この統計多重装置においては、符号化器１３1〜１３n各々から符号化データの実符号量がデータとして符号量制御部１７に供給される。すなわち、符号化器１３1〜１３n各々は映像ソースＶ1〜Ｖnのビデオデータを目標符号量になるように符号化し、その符号化したデータの実符号量を多重・送出制御部１８と共に符号量制御部１７に供給する。符号量制御部１７の適応制御部は実符号量を加味して次の目標符号量を決定することになる。よって、多重・送出制御部１８からの出力結果情報を待たなくても目標符号量と実符号量との誤差を帰還情報として得ることができ、目標符号量をより適切に制御することが可能となる。よって、目標符号量と実符号量との誤差があっても出力バッファ１６の破綻回避処理の如き制限を特に加えなくても良いことになる。なお、この部分を除く構成は図１に示した統計多重装置と同一である。
【００３３】
図８は本発明の他の実施例を更に示している。この統計多重装置において、符号量制御部１７は各符号化・符号量解析部１１1〜１１nからの要求符号量の比較的長期間の統計によって、要求符号量の総レートが設定された出力レートより高い状態又は低い状態が継続すると、それに対して適応的に符号化・符号量解析部の符号化パラメータの変更を指示する。各符号化・符号量解析部１１1〜１１nでは、その指示に応答して符号化パラメータを変更し、その変更後の符号化パラメータによって符号化及び要求符号量の解析を行う。なお、この部分を除く構成は図１に示した統計多重装置と同一である。
【００３４】
図８の統計多重装置においては、符号量制御部１７と各符号化・符号量解析部１１1〜１１nとの処理によって、要求符号量と目標符号量との誤差を小さくすることができるので、符号量制御部１７における映像品位に関する処理量を少なくすることが可能となる。また、最初各々のチャンネルに割付けられた基準レートから、映像品位（符号化パラメータ）を設定するが、その後、設定された映像品位（符号化パラメータ）に対し出力されている要求ビットレートの高い部分（ビット量）と低い部分（ビット量）が均等か、それに近くなるように映像品位（符号化パラメータ）を制御する。すなわち、図９に符号Ａで示す部分のように、帯域を越えるビット量と帯域幅より少ないビット量が均一になるように符号化パラメータを制御することにより、符号量制御部１７で最適で効率的な割当を行うことができ、画質の向上を図ることができる。
【００３５】
図１０は本発明の他の実施例を更に示している。この統計多重装置においては、符号化・符号量解析部１１1〜１１nから対応する符号化器１３1〜１３nへ要求符号量及び符号化情報が供給されるように構成されている。よって、符号化器１３1〜１３n各々においては要求符号量及び符号化情報に応じて符号化パラメータを変更して符号化することが行われる。この構成を備えることにより、一般的に動きの激しいフレーム内の個所の画像が汚くなってもあまり目立たない傾向がある場合に、例えば、符号量制御部で動きベクトル情報（符号化情報の情報）を利用して、動きの激しい映像ソースを動きの少ない映像ソースに比べてより多く削減し目標符号量を決定することができる。また符号化器１３1〜１３nでは、動きベクトル情報が大きい個所を中心に符号量を削減することによって、画質をなるべく維持しながら符号量を削減することが可能となる。なお、この部分を除く構成は図１に示した統計多重装置と同一である。
【００３６】
図１１は本発明の他の実施例を更に示している。この統計多重装置においては、多重・送出制御部１８には回線情報が入力される。回線情報は多重化データを送出する帯域幅及び制御情報を示す。多重・送出制御部１８は入力された回線情報も加えて多重・送出部１９への多重送出情報を作成する。また、その回線情報は多重・送出制御部１８から符号量制御部１７に供給される。例えば、多重化データを送出する帯域に揺らぎがあり、帯域幅が若干変化する場合には、回線情報により送出情報を変化させ、その揺らぎに対応することが可能となる。また、帯域幅が長期間に亘って変更される場合には、符号量制御部１７に回線情報を供給し、符号量割当方法で使用する全体の帯域幅を変更することによって、回線の長期的な変化にも対応することが可能となる。なお、この部分を除く構成は図１に示した統計多重装置と同一である。
【００３７】
なお、符号化方式としては、上記の実施例ではＭＰＥＧ−２方式を示したが、ＩＴＵ−Ｔ(International Telecommunication Union：国際電気通信連合の電気通信標準化部門)で標準化された動画像符号化方式Ｈ．２６４を用いることができる。
【００３８】
以上のように、複数のビデオデータを符号化のために解析して要求符号量を設定する符号化解析手段と、複数のビデオデータ毎に要求符号量と以前設定した目標符号量とに応じて今回の目標符号量を設定する符号量制御手段と、複数のビデオデータを各々遅延させる遅延手段と、遅延手段によって遅延された複数のビデオデータの各々を今回の目標符号量に等しくなるように符号化して符号化データを出力する符号化手段と、複数のビデオデータの各々について符号化手段によって出力された符号化データを多重化して多重化データストリームを出力する多重化手段と、を備えているので、画像品質に悪影響を与えることなく各映像ソースに対して帯域を適切に割り当てることができる。
【図面の簡単な説明】
【００３９】
【図１】本発明の実施例を示すブロック図である。
【図２】図１の装置中の符号量制御部の構成を示すブロック図である。
【図３】評価期間の符号量決定期間及び先読み期間と全体の帯域幅とを示す図である。
【図４】図１の装置の符号量制御動作を説明するための図である。
【図５】図１の装置の符号量制御動作を説明するための図である。
【図６】符号量制御部の他の動作例を示すフローチャートである。
【図７】本発明の他の実施例を示すブロック図である。
【図８】本発明の他の実施例を示すブロック図である。
【図９】図８の装置の符号量制御動作を説明するための図である。
【図１０】本発明の他の実施例を示すブロック図である。
【図１１】本発明の他の実施例を示すブロック図である。
【符号の説明】
【００４０】
１１1〜１１n  符号化・符号量解析部
１３1〜１３n  符号化器
１５  多重器
１６  出力バッファ
１７  符号量制御部
１８  多重・送出制御部
１９  多重・送出部
【図１】
2005151095.tif 000003
【図２】
2005151095.tif 000004
【図３】
2005151095.tif 000005
【図４】
2005151095.tif 000006
【図５】
2005151095.tif 000007
【図６】
2005151095.tif 000008
【図７】
2005151095.tif 000009
【図８】
2005151095.tif 000010
【図９】
2005151095.tif 000011
【図１０】
2005151095.tif 000012
【図１１】
2005151095.tif 000013
【手続補正書】
【提出日】平成16年9月15日(2004.9.15)
【手続補正１】
【補正対象書類名】特許請求の範囲
【補正対象項目名】請求項５
【補正方法】変更
【補正の内容】
【請求項５】
前記符号量制御手段は、前記複数のビデオデータの各々について設定した前記今回の目標符号量が前記要求符号量に応じた画像品位に達しない量であるとき前記今回の目標符号量の増加が可能であるか否かを判別し、その判別結果が増加可能である場合には前記今回の目標符号量を増加補正することを特徴とする請求項１記載の統計多重装置。
【手続補正２】
【補正対象書類名】明細書
【補正対象項目名】０００４
【補正方法】変更
【補正の内容】
【０００４】
また、従来の統計多重装置においては、画像を先読みして画像の特徴を捉えて、帯域割り当てを行っている（特許文献２参照）。
【特許文献１】特開２０００−７８５７７号公報
【特許文献２】特開２０００−４１２５０号公報
【手続補正３】
【補正対象書類名】明細書
【補正対象項目名】０００６
【補正方法】変更
【補正の内容】
【０００６】
また、上記特許文献２に示されたシステムにおいては、ピクチャ統計(Activity値など)によって割り当てを行っている。しかしながら、ピクチャ統計を利用する方法はあくまで符号化量を予測する方法でしかない。またピクチャ統計と符号化量の関係を符号化方式によって定義しなければいけないが、画像は無数に存在するため、この定義は非常にあいまいなものになる。すなわち、符号化時の予測を十分に行うことができないという問題点がある。更に、上記特許文献２に示されたシステムにおいては、帯域の超過をフィードバックによって防止しているため、超過を防ぐ処理が遅延してしまい、遅延を考慮した余裕分を含んだ制御とするか、ビット量を急激に削減する制御となり、どちらも画質に悪影響を与えるという問題点があった。
【手続補正４】
【補正対象書類名】図面
【補正対象項目名】図１
【補正方法】変更
【補正の内容】
【図１】
2005151095.tif 000014
【手続補正５】
【補正対象書類名】図面
【補正対象項目名】図６
【補正方法】変更
【補正の内容】
【図６】
2005151095.tif 000015
【手続補正６】
【補正対象書類名】図面
【補正対象項目名】図７
【補正方法】変更
【補正の内容】
【図７】
2005151095.tif 000016
【手続補正７】
【補正対象書類名】図面
【補正対象項目名】図８
【補正方法】変更
【補正の内容】
【図８】
2005151095.tif 000017
【手続補正８】
【補正対象書類名】図面
【補正対象項目名】図１０
【補正方法】変更
【補正の内容】
【図１０】
2005151095.tif 000018
【手続補正９】
【補正対象書類名】図面
【補正対象項目名】図１１
【補正方法】変更
【補正の内容】
【図１１】
2005151095.tif 000019